(57)【特許請求の範囲】
【請求項１】
撮影画像の比較元の画像である比較元画像の画像種別に応じて検索条件を追加する検索条件追加手段と、
前記検索条件追加手段で追加された検索条件に基づき、撮影画像の付帯情報を検索し、検索した付帯情報と前記付帯情報と関連付けられている撮影画像とを取得する検索手段と、
比較元画像の画像種別及び前記検索手段で検索された撮影画像の画像種別に基づいて画像処理を行うか否かを判断し、画像処理を行うと判断すると、前記検索手段で検索された撮影画像に対して画像処理を実行する画像処理手段と、
比較元画像と、前記検索手段で取得された撮影画像、又は前記画像処理手段で画像処理された撮影画像と、を表示する表示手段と、
を有する画像表示装置。
【請求項２】
比較元画像の付帯情報に基づいて検索条件を設定する設定手段を更に有し、
前記検索条件追加手段は、比較元画像がデジタルフィルタ画像、又は光学フィルタ画像の場合、前記設定手段で設定された検索条件に、撮影画像の比較元の画像である比較元画像の画像種別に応じて検索条件を追加する請求項１記載の画像表示装置。
【請求項３】
前記検索条件追加手段は、比較元画像がデジタルフィルタ画像の場合、カラー画像と比較元画像の画像種別に対応する光学フィルタ画像とを検索条件に追加し、比較元画像が光学フィルタ画像の場合、カラー画像と比較元画像の画像種別に対応するデジタルフィルタ画像とを検索条件に追加する請求項１又は２記載の画像表示装置。
【請求項４】
前記画像処理手段は、比較元画像がデジタルフィルタ画像、又は光学フィルタ画像であって、前記検索手段で検索された撮影画像がカラー画像の場合、前記カラー画像に対して比較元画像に応じた画像処理を行う請求項１乃至３何れか１項記載の画像表示装置。
【請求項５】
前記画像処理手段は、比較元画像が光学レッドフリー画像又はデジタルレッドフリー画像の場合、前記検索手段で検索されたカラー画像である撮影画像に対して画像処理としてデジタルレッドフリー処理を実行し、比較元画像が光学青色フィルタ画像又はデジタル青色フィルタ画像の場合、前記検索手段で検索されたカラー画像である撮影画像に対して画像処理としてデジタル青色フィルタ処理を実行する請求項４記載の画像表示装置。
【請求項６】
前記表示手段は、前記撮影画像を表示する際に、前記検索手段で取得され、前記画像処理手段では画像処理されなかった撮影画像か、前記検索手段で取得され、前記画像処理手段で画像処理された撮影画像か、を区別可能に表示する請求項１乃至５何れか１項記載の画像表示装置。
【請求項７】
コンピュータを、
撮影画像の比較元の画像である比較元画像の画像種別に応じて検索条件を追加する検索条件追加手段と、
前記検索条件追加手段で追加された検索条件に基づき、撮影画像の付帯情報を検索し、検索した付帯情報と前記付帯情報と関連付けられている撮影画像とを取得する検索手段と、
比較元画像の画像種別及び前記検索手段で検索された撮影画像の画像種別に基づいて画像処理を行うか否かを判断し、画像処理を行うと判断すると、前記検索手段で検索された撮影画像に対して画像処理を実行する画像処理手段と、
比較元画像と、前記検索手段で取得された撮影画像、又は前記画像処理手段で画像処理された撮影画像と、を表示する表示手段と、
して機能させるプログラム。
【発明の詳細な説明】
【技術分野】
【０００１】
本発明は、画像表示装置、及びプログラムに関する。
【背景技術】
【０００２】
網膜神経線維層からの反射光をコントラストよく撮影するために、赤色光を透過させないレッドフリーフィルタ、又は、青色光のみを透過する青色フィルタ等の光学フィルタを光学系に挿入して撮影が行われている。これらの撮影画像は、光学フィルタ画像に分類され、それぞれ、光学レッドフリー画像、光学青色フィルタ画像として保存されている。
一方、撮影したカラー画像からデジタルフィルタ処理により、レッドフリーフィルタや青色フィルタ等の光学フィルタを挿入して撮影した画像と同様の画像を生成するものもある。これらの画像はデジタルフィルタ画像に分類され、それぞれ、デジタルレッドフリー画像、デジタル青色フィルタ画像として保存されている。
通常、経過観察（画像比較）時には、比較元画像と同じ患者の過去画像の内、カラー画像、デジタルレッドフリー画像等、画像種別が同じ画像と比較することが多い。そのため、撮影条件を使用して、比較対象の画像を容易に選択することができる装置が提案されている（特許文献１参照）。
また、経過観察（画像比較）の検索結果画像に対して、比較元画像と同じ階調、感度に調整して表示する装置が提案されている（特許文献２参照）。更には、画像を比較して表示する際に、一方を拡大／縮小して表示、又は、一方に経時差分画像を表示する装置も提案されている（特許文献３参照）。
【先行技術文献】
【特許文献】
【０００３】
【特許文献１】特開２００３−１９１１８号公報
【特許文献２】特許第２５２７３６１号公報
【特許文献３】特開平８−７６７４１号公報
【発明の概要】
【発明が解決しようとする課題】
【０００４】
しかしながら、上述の従来例では、比較元画像と同じ画像種別の検索しか行っていないため、例えば、デジタルレッドフリー画像に対して光学レッドフリー画像を検索結果として取得できない問題があった。また、デジタルレッドフリー画像に対して、取得したカラー画像をデジタルレッドフリー処理して比較することもできない問題があった。
【０００５】
本発明はこのような問題点に鑑みなされたもので、比較元画像と異なる画像種別の画像を検索結果として取得可能とすると共に、検索結果として取得した撮影画像に対して画像処理を行い、比較元画像と比較可能とすることを目的とする。
【課題を解決するための手段】
【０００６】
そこで、本発明の画像表示装置は、撮影画像の比較元の画像である比較元画像の画像種別に応じて検索条件を追加する検索条件追加手段と、前記検索条件追加手段で追加された検索条件に基づき、撮影画像の付帯情報を検索し、検索した付帯情報と前記付帯情報と関連付けられている撮影画像とを取得する検索手段と、比較元画像の画像種別及び前記検索手段で検索された撮影画像の画像種別に基づいて画像処理を行うか否かを判断し、画像処理を行うと判断すると、前記検索手段で検索された撮影画像に対して画像処理を実行する画像処理手段と、比較元画像と、前記検索手段で取得された撮影画像、又は前記画像処理手段で画像処理された撮影画像と、を表示する表示手段と、を有する。
【発明の効果】
【０００７】
本発明によれば、比較元画像と異なる画像種別の画像を検索結果として取得可能とすると共に、検索結果として取得した撮影画像に対して画像処理を行い、比較元画像と比較可能とすることができる。
【図面の簡単な説明】
【０００８】
【図１】画像表示装置のハードウェア構成の一例を示す図である。
【図２】画像表示装置のソフトウェア構成の一例を示す図である。
【図３】画像種別の一例を示す図である。
【図４】画像表示処理の一例を示すフローチャートである。
【図５】設定された検索条件の一例を示す図である。
【図６】比較元画像と追加検索条件との対応関係の一例を示す図である。
【図７】図５の検索条件に対して検索条件を追加した一例を示す図である。
【図８】比較元画像の画像種別と画像処理との対応関係の一例を示す図である。
【図９】デジタルレッドフリー画像に対して、光学レッドフリー画像を１画像だけ取得したときの表示する一例を示す図である。
【図１０】デジタルレッドフリー画像に対してカラー画像を１画像だけ取得し、デジタルレッドフリー処理をした画像を表示する一例を示す図である。
【発明を実施するための形態】
【０００９】
以下、本発明の実施形態について図面に基づいて説明する。
【００１０】
図１は、画像表示装置のハードウェア構成の一例を示す図である。
ＣＰＵ１０２、ＲＡＭ１０３、ＲＯＭ１０４、ハードディスク（ＨＤＤ）１０５、ネットワークインタフェースカード（ＮＩＣ）１０９、ディスプレイ１０６、キーボード１０７、外部Ｉ／Ｆ１０８は、それぞれシステムバス１０１を介して互いに接続されている。システムバス１０１は、例えば、ＰＣＩバス、ＡＧＰバス、及びメモリバス等から成る。
ＣＰＵ１０２は、装置全体の制御を行い、ハードディスク（ＨＤＤ）１０５に格納されているアプリケーションプログラム、ＯＳ等を実行し、ＲＡＭ１０３にプログラムの実行に必要な情報、ファイル等を一時的に格納する制御を行う。
ＲＯＭ１０４は、記憶手段の一例であり、内部には、基本Ｉ／Ｏプログラム等のプログラム等を記憶する。ＲＡＭ１０３は、一時記憶手段の一例であり、ＣＰＵ１０２の主メモリ、ワークエリア等として機能する。
ＨＤＤ１０５は、外部記憶手段の一つであり、大容量メモリとして機能するハードディスク（ＨＤＤ）である。ＨＤＤ１０５は、オペレーティングシステムやアプリケーションプログラム（例えば、本実施形態に関するプログラム等）等を格納している。
ディスプレイ１０６は、表示手段の一例であり、キーボード１０７から入力したコマンド、画像等を表示するものである。
外部Ｉ／Ｆ１０８は、画像形成装置、ＵＳＢ機器、周辺機器を接続するためのＩ／Ｆである。
キーボード１０７は、指示入力手段の一例である。
ＮＩＣ１０９は、ネットワークインタフェースカード（ＮＩＣ）であり、ネットワーク１１１を介して他の装置（外部装置）とデータのやり取りを行う。
なお、上記コンピュータの構成はその一例であり、図１の構成例に限定されるものではない。例えば、データやプログラムの格納先は、その特徴に応じてＲＯＭ、ＲＡＭ、ＨＤＤ等で変更することもできる。
ＣＰＵ１０２がプログラムを実行することによって画像表示装置の機能（又はソフトウェア構成）が実現される。なお、撮影画像及び撮影画像に関連付けられた付帯情報は、外部装置等から取得され、ＲＡＭ１０３に格納されていてもよいし、ＨＤＤ１０５に格納されていてもよい。また、比較元画像は、外部装置等から取得され、ＲＡＭ１０３に格納されていてもよいし、ＨＤＤ１０５に格納されていてもよい。
【００１１】
＜実施形態１＞
図２は、画像表示装置のソフトウェア構成の一例を示す図である。
画像管理部１は、撮影画像と付帯情報とを関連付けてＲＡＭ１０３又はＨＤＤ１０５等に保存している。付帯情報には、患者ＩＤ、患者名、性別、左右眼、撮影日、画像種別等がある。ここで、図３は、画像種別の一例を示す図である。図３に示す様に、画像種別には、カラー画像、光学レッドフリー画像、光学青色フィルタ画像、デジタルレッドフリー画像、デジタル青色フィルタ画像等がある。光学レッドフリー画像、光学青色フィルタ画像は、光学フィルタ画像に分類され、デジタルレッドフリー画像、デジタル青色フィルタ画像は、デジタルフィルタ画像に分類される。
検索条件設定部２は、画像管理部１で管理している画像を検索するために、付帯情報を検索条件として設定する。検索条件追加部３は、検索条件設定部２により設定された検索条件に対して、比較元画像の画像種別に応じて検索条件を追加する。
検索部４は、設定された検索条件を使用して、画像管理部１から付帯情報を検索し、撮影画像と付帯情報を取得する。
画像処理部５は、比較元画像と検索結果画像の画像種別に応じてデジタルフィルタ処理を行う。表示部６は、比較元画像と検索結果画像をディスプレイ１０６に表示する。制御部７は、全体の制御を行う。
【００１２】
図４は、画像表示処理の一例を示すフローチャートである。
ステップＳ１００において、制御部７は、比較元画像の付帯情報を取得し、取得した比較元画像の付帯情報を検索条件設定部２に渡す。検索条件設定部２は、受け取った比較元画像の付帯情報を検索条件に設定する。図５は、設定された検索条件の一例を示す図である。検索条件設定部２は、患者ＩＤ、患者名、性別、左右眼、画像種別等は、比較元画像と同じ付帯情報を検索条件に設定する。検索条件設定部２は、撮影日に関しては、過去の画像を検索するために、比較元画像と同じ付帯情報の撮影日は、検索条件に設定しない。なお、検索条件設定部２は、キーボード１０７を介したユーザ操作等に基づいて、検索条件を設定しないで過去の画像全てを検索するだけでなく、日付範囲、前回検査の撮影画像のみ等の検索条件を設定してもよい。
ステップＳ１０１において、制御部７は、比較元画像の画像種別を判定する。画像分類が光学フィルタ画像、又はデジタルフィルタ画像の場合、制御部７は、ステップＳ１０２の処理に遷移する。光学フィルタ画像としては、光学レッドフリー画像、光学青色フィルタ画像等がある。デジタルフィルタ画像としては、デジタルレッドフリー画像、デジタル青色フィルタ画像等がある。画像分類がその他（光学フィルタ画像、デジタルフィルタ画像以外）の場合、制御部７は、ステップＳ１０４の処理に遷移する。
【００１３】
ステップＳ１０２において、制御部７は、比較元画像の画像種別を検索条件追加部３に渡す。検索条件追加部３は、受け取った比較元画像の画像種別に応じて画像種別の検索条件を追加する。図６は、比較元画像と追加検索条件との対応関係の一例を示す図である。図６に示す様に、検索条件追加部３は、デジタルフィルタ画像に対しては、カラー画像と比較元画像の画像種別に対応する光学フィルタ画像を追加する。検索条件追加部３は、光学フィルタ画像に対しては、カラー画像と比較元画像の画像種別に対応するデジタルフィルタ画像を追加する。検索条件追加部３は、カラー画像等その他の画像に対しては、検索条件を追加しない。図７は、図５の検索条件に対して検索条件を追加した一例を示す図である。ここで、画像種別の検索条件は複数あるが、何れか１つが一致すればよい。また、検索条件設定部２、又は検索条件追加部３は、検索条件に優先度を設定してもよい。例えば、検索条件設定部２、又は検索条件追加部３は、比較元画像の画像種別と同じデジタルレッドフリー画像は優先度を高く、カラー画像と光学レッドフリー画像は優先度を低く設定する。
ステップＳ１０３において、制御部７は、ステップＳ１０２で検索条件が追加された検索条件を検索部４に渡す。検索部４は、受け取った検索条件に基づいて画像管理部１が管理している付帯情報を検索し、検索条件に該当する付帯情報と前記付帯情報に関連付けられている撮影画像とを取得する。
ステップＳ１０４において、制御部７は、ステップＳ１００で設定された検索条件を検索部４に渡す。検索部４は、受け取った検索条件に基づいて画像管理部１が管理している付帯情報を検索し、検索条件に該当する付帯情報と前記付帯情報に関連付けられている撮影画像とを取得する。
【００１４】
ステップＳ１０５において、制御部７は、検索部４が検索の結果として取得した画像（検索結果画像）の画像分類を判断する。検索結果画像の画像分類がカラー画像の場合、制御部７は、ステップＳ１０６に処理を遷移する。検索結果画像の画像分類が光学フィルタ画像、デジタルフィルタ画像の場合、制御部７は、ステップＳ１０７へ処理を遷移する。
ステップＳ１０６において、制御部７は、検索部４で取得された撮影画像（カラー画像）及び比較元画像の画像種別を画像処理部５に渡す。画像処理部５は、図８に示す様に、カラー画像に対して比較元画像の画像種別に対応する画像処理（デジタルフィルタ処理）を行う。より具体的に説明すると、画像処理部５は、比較元画像が光学レッドフリー画像の場合、カラー画像に対してデジタルレッドフリー処理を行う。また、画像処理部５は、比較元画像が光学青色フィルタ画像の場合、カラー画像に対してデジタル青色フィルタ処理を行う。また、画像処理部５は、比較元画像がデジタルレッドフリー画像の場合、カラー画像に対してデジタルレッドフリー処理を行う。また、画像処理部５は、比較元画像がデジタル青色フィルタ画像の場合、カラー画像に対してデジタル青色フィルタ処理を行う。
【００１５】
ステップＳ１０７で、表示部６は、比較元画像と並べて検索結果画像をディスプレイ１０６に表示する。図９は、デジタルレッドフリー画像に対して、光学レッドフリー画像を１画像だけ取得したときの表示する一例を示す図である。表示部６は、比較元画像の画像種別１０、検索結果画像の画像種別１１の様に、画像種別を表示するのが好ましい。図１０は、デジタルレッドフリー画像に対してカラー画像を１画像だけ取得し、デジタルレッドフリー処理をした画像を表示する一例を示す図である。この場合、検索結果画像の画像種別１１は、画像処理後の画像種別を表示するため、表示部６は、検索結果画像の画像処理前の画像種別１２を表示するのが好ましい。この表示により、ユーザは、検索結果としてデジタルレッドフリー画像を取得したのか、取得したカラー画像からデジタルフィルタ処理した画像かの区別が容易になる。
つまり、表示部６は、検索部４で取得され、画像処理部５では画像処理されなかった撮影画像か、検索部４で取得され、画像処理部５で画像処理された撮影画像か、を区別可能に表示する。
本実施形態では、比較元画像の画像種別１０、検索結果画像の画像種別１１、検索結果画像の画像処理前の画像種別１２を文字列で表示する例を示したが、表示部６は、アイコン等のマークで表示してもよい。
【００１６】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００１７】
以上、前述した各実施形態によれば、経過観察（画像比較）の検索において、過去に同じ画像種別の撮影を行っていない場合でも、光学フィルタ画像、デジタルフィルタ画像に対して、比較元画像の画像種別に応じた検索条件を追加するため検索効率が向上する。また、光学フィルタ画像、デジタルフィルタ画像に対する検索結果画像の画像種別がカラー画像の場合、比較元画像の画像種別に対応するデジタルフィルタ処理を行って表示するため、比較を容易に行うことができる。また、比較元画像と異なる画像種別の画像を検索結果として取得可能とすると共に、検索結果として取得した撮影画像に対して画像処理を行い、比較元画像と比較可能とすることができる。
【００１８】
以上、本発明の好ましい実施形態について詳述したが、本発明は係る特定の実施形態に限定されるものではなく、特許請求の範囲に記載された本発明の要旨の範囲内において、種々の変形・変更が可能である。
例えば、図２に示したソフトウェア構成を、ハードウェア構成として画像表示装置に実装してもよい。
また、図２のソフトウェア構成において、制御部７を含まない構成とすることもできる。つまり、例えば、図４のＳ１０１の判定を検索条件追加部３が行う様にしてもよい。また、例えば、図４のＳ１０５の判断を画像処理部５が行う様にしてもよい。この様にすることによって、図２のソフトウェア構成において、制御部７を含まない構成とすることもできる。
【符号の説明】
【００１９】
１０２  ＣＰＵ
【図１】
0005495870.tif 000002
【図２】
0005495870.tif 000003
【図３】
0005495870.tif 000004
【図４】
0005495870.tif 000005
【図５】
0005495870.tif 000006
【図６】
0005495870.tif 000007
【図７】
0005495870.tif 000008
【図８】
0005495870.tif 000009
【図９】
0005495870.tif 000010
【図１０】
0005495870.tif 000011